(57)【要約】【課題】化粧品容器の注入口に対してキャップ本体が螺合方式で開閉操作されても、その内部に別に圧入されたシール部材の損傷や毀損を防止し、キャップ本体がスムーズに開閉操作されるとともに、安定したシール力を常時提供するようにした化粧品容器キャップを提供する。【解決手段】化粧品容器キャップが提供される。このキャップはキャップ本体とシール部材を含む。キャップ本体は硬質素材から製造され、上壁、前記上壁の周縁から下方に延設された側壁、前記側壁の内周面に形成されたネジ部、及び前記上壁と側壁の内側境界面に設けられる結合空間を含む。シール部材は前記キャップ本体の結合空間に圧入され、化粧品容器の注入口に対してキャップ本体が螺合方式で開閉操作されるとき、注入口に対してシール力を提供または解除する。シール部材は硬質の円形支持板、及びインサート成形によって前記円形支持板上に一体に形成されるシール部を含む。【選択図】図２
2016508770.tif 000002
【特許請求の範囲】
【請求項１】
化粧品容器の注入口の上面をシールするために螺合方式で開閉操作されるキャップであって、
上壁と、前記上壁の周縁から下方に延設された側壁と、この側壁の内周面に形成されたネジ部と、前記上壁と側壁の内側境界面に設けられる結合空間とを含む硬質素材のキャップ本体と、
前記キャップ本体の結合空間に圧入され、前記キャップ本体が化粧品容器の注入口に対して螺合方式で開閉操作されるとき、前記化粧品容器の注入口に対するシール力を提供または解除するシール部材を含み、
前記シール部材は、硬質の円形支持板と、前記円形支持板の一面に一体にインサート成形され、前記化粧品容器の注入口の上面に弾性的に接触するシール部を含むことを特徴とする、化粧品容器キャップ。
【請求項２】
前記シール部材のシール部には、化粧品容器の注入口の上面に形成される突条に対応して、前記突条を取り囲む形で密着するための密着溝部がさらに形成され、前記密着溝部の両側にはシール羽が一体に形成されることを特徴とする、請求項１に記載の化粧品容器キャップ。
【請求項３】
前記シール部材の円形支持板にインサート成形されるシール部の外径（Ｄ２）は、円形支持板の外径（Ｄ１）より小さく形成され、かつ結合空間を形成するための係合突条の直径（ｄ１）と同一ないし小さく形成されることにより、シール部材をキャップ本体の結合空間内に結合するとき、円形支持板の段部が係合突条に係止されるように構成されることを特徴とする、請求項１に記載の化粧品容器キャップ。
【請求項４】
前記キャップ本体の上壁の内周面には、キャップ本体の開閉操作の際、シール部材の円形支持板に対する接触摩擦力を最小化するための環状突条がさらに形成されることを特徴とする、請求項１に記載の化粧品容器キャップ。
【請求項５】
前記キャップ本体に形成される環状突条は、キャップ本体の閉鎖操作の際、シール部材のシール部が化粧品容器の注入口の上面を直接押圧するように、前記注入口に対して垂直軸線Ｐ上に配置されることを特徴とする、請求項４に記載の化粧品容器キャップ。
【請求項６】
前記シール部材の円形支持板の周縁上側角部を切除して傾斜案内面を形成することにより、キャップ本体の結合空間に対してシール部材を強制的に押し込むとき、結合が容易になるように構成されることを特徴とする、請求項１に記載の化粧品容器キャップ。
【発明の詳細な説明】
【技術分野】
【０００１】
本発明は、クリームタイプの化粧品を保管する化粧品容器の注入口をシールするキャップに係り、特に、簡単なシール構造でありながらも、キャップ本体が、化粧品容器の注入口をシールするシール部材とは独立して、螺合方式で開閉操作されることによって、安定したシール力を提供または解除するようにした化粧品容器キャップに関する。
【背景技術】
【０００２】
周知のように、クリームタイプの化粧品を保管する化粧品容器の注入口をシールする構造として、キャップ本体の内部底面に圧縮されたパーライト素材のパッキングを一体に接着し、同時に注入口の上面をプラスチック素材の補助キャップが別途覆う構成が利用される。
【０００３】
しかし、パーライト素材のパッキングを用いたシール方式の場合には、キャップ本体の螺合の際、パーライト素材のパッキングが化粧品容器の注入口の上面に押圧され強制的に回転するため、その過程で注入口の上面と接触するパッキングの押圧面が損傷または毀損される問題を避けることが難しく、また長期間使用の際、シーリングの跡を残すため、安定したシール力を提供するには限界がある。また、パーライト素材のパッキングの特性上、空気の通気が可能であるため、化粧品の水分蒸発などを効果的に防止するのは困難である。また、化粧品の使用の際、補助キャップをいちいち開いて閉めなければならない使用上の不便さがある。
【０００４】
特に、パーライト素材のパッキングを使う場合、パッキングがキャップに対し一体に接着された構造であるため、ガラス素材から製作される化粧品容器の形成過程において、注入口の上面が水平に維持されずわずかに傾いて形成される場合、傾きに積極的に対応しシールすることが困難である。このため、当該問題を解決するキャップの改善が求められている。
【０００５】
このような点に鑑み、韓国登録特許第１２６８１５７号に開示されているように、弾性素材のパッキングをキャップの内部に挿入、または超音波により一体に成形して化粧品容器の注入口をシールする構造が提案されている。その他にも多様なシール構造が提案されている実情ではあるが、パッキングの損傷を防止しながらも安定したシール力を提供するには依然として限界がある。
【先行技術文献】
【特許文献】
【０００６】
【特許文献１】韓国登録特許第１０−１２６８１５７号公報
【発明の概要】
【発明が解決しようとする課題】
【０００７】
本発明は、前述したような従来の諸般問題点を解決するためになされたもので、本発明は、化粧品容器の注入口に対してキャップ本体が螺合方式で開閉操作されても、その内部に別に圧入されたシール部材の損傷や毀損を防止しながら、回転干渉を発生させず、キャップ本体がスムーズに開閉操作されるとともに安定したシール力を常時提供する化粧品容器キャップを提供する。
【課題を解決するための手段】
【０００８】
本発明の一態様において、本発明は、化粧品容器の注入口の上面をシールするために螺合方式で開閉操作されるキャップであって、上壁と、前記上壁の周縁から下方に延設された側壁と、この側壁の内周面に形成されたネジ部と、前記上壁と側壁の内側境界面に設けられる結合空間とを含む硬質素材のキャップ本体と、前記キャップ本体の結合空間に圧入され、前記キャップ本体が化粧品容器の注入口に対して螺合方式で開閉操作されるとき、前記化粧品容器の注入口に対するシール力を提供または解除するシール部材を含み、前記シール部材は、硬質の円形支持板と、前記円形支持板の一面に一体にインサート成形され、前記化粧品容器の注入口の上面に弾性的に接触するシール部を含むことを特徴とする、化粧品容器キャップを提供する。
【０００９】
前記シール部材のシール部には、化粧品容器の注入口の上面に形成される突条に対応して、前記突条を取り囲む形で密着するための密着溝部がさらに形成され、前記密着溝部の両側にはシール羽が一体に形成されることができる。
【００１０】
前記シール部材の円形支持板にインサート成形されるシール部の外径（Ｄ２）は、円形支持板の外径（Ｄ１）より小さく形成され、かつ結合空間を形成するための係合突条の直径（ｄ１）と同一ないし小さく形成されることにより、シール部材をキャップ本体の結合空間内に結合するとき、円形支持板の段部が係合突条に係止されるように構成されることができる。
【００１１】
前記キャップ本体の上壁の内周面には、キャップ本体の開閉操作の際、シール部材の円形支持板に対する接触摩擦力を最小化するための環状突条がさらに形成されることができる。
【００１２】
前記キャップ本体に形成される環状突条は、キャップ本体の閉鎖操作の際、シール部材のシール部が化粧品容器の注入口の上面を直接押圧するように、前記注入口に対して垂直軸線（Ｐ）上に配置されることができる。
【００１３】
前記シール部材の円形支持板の周縁上側角部を切除して傾斜案内面を形成することにより、キャップ本体の結合空間に対してシール部材を強制的に押し込むとき、結合が容易になるように構成されることができる。
【発明の効果】
【００１４】
本発明によれば、キャップ本体の内部結合空間にシール部材が別に圧入されるため、化粧品容器の注入口に対するキャップ本体の螺合開閉操作の際、キャップ本体のみが回転操作され、シール部材は上下にだけ押圧又は解放されるので、化粧品容器の注入口と強制接触した場合でも、シール部材の損傷や毀損が防止されるとともに安定したシール力を常時提供することが可能となる。
【００１５】
また、シール部材のシール部に形成される密着溝部によって化粧品容器の注入口が取り囲まれる形で密着支持されるので、さらに安定したシール能力を提供することが可能となる。
【００１６】
また、化粧品容器の注入口に対するキャップ本体の開閉操作の際、キャップ本体と同様、シール部材の円形支持板が硬質素材からなり、またキャップ本体の上壁内周面に環状突条が形成されることにより、摩擦接触面が最小化し相互間の回転干渉を防止することで、キャップ本体の開閉操作がよりスムーズになる利点がある。
【００１７】
また、前記化粧品容器の注入口と同軸線上に環状突条が形成されることにより、キャップ本体の閉鎖操作の際、シール部材が同軸線上で垂直に押圧されるので、より強く安定したシール力を提供することが可能となる。
【００１８】
また、シール部材に設けられる傾斜案内面によって、キャップ本体の結合空間に対するシール部材の強制的な結合動作が一層便利になる効果を提供することになる。
【図面の簡単な説明】
【００１９】
【図１】本発明による容器キャップと化粧品容器の分解斜視図である。
【図２】本発明によるキャップの垂直断面図である。
【図３】本発明によるキャップを化粧品容器に結合する前の垂直断面図である。
【図４】図２の「Ａ」部の拡大図である。
【図５】本発明によるキャップを化粧品容器に結合した状態の垂直断面図である。
【図６】図５の「Ｂ」部の拡大図である。
【図７ａ】本発明によるシール部材が化粧品容器の突条に押圧される前の拡大断面図である。
【図７ｂ】本発明によるシール部材が化粧品容器の突条に押圧された後の拡大断面図である。
【発明を実施するための形態】
【００２０】
以下、本発明による好適な実施例を添付図面に基づいて詳細に説明すれば次のようである。
【００２１】
図１〜図３を参照すれば、本発明による化粧品容器キャップ１０は、キャップ本体２０とシール部材３０を含む。前記キャップ本体２０は、硬質素材から製造され、上壁２１と、前記上壁の周縁から下方に延設された側壁２２と、前記側壁の内周面に形成されたネジ部２３と、前記側壁の内周面に結合空間２４を備えるための係合突条２５とを含む。
【００２２】
前記シール部材３０は、前記キャップ本体の結合空間に可動的に結合され、前記キャップ本体が化粧品容器の注入口に対して螺合方式で開閉操作されるとき、前記化粧品容器１の注入口２に対するシール力を提供または解除する。
【００２３】
前記シール部材３０は、硬質素材から成形される円形支持板３１と、前記円形支持板の一面に一体にインサート成形され、かつ前記化粧品容器の注入口の上面３に弾性的に接触するシール部３２とからなっている。
【００２４】
キャップ本体２０は、主に硬質の合成樹脂素材、例えばＡＢＳ素材から形成されることが好ましいが、金属素材のような、その他の代替素材から製作されても構わない。
【００２５】
そして、シール部材３０を構成する硬質の円形支持板３１も硬質の合成樹脂素材、例えばＡＢＳ、ＰＰ、ＰＯＭなどの素材から成形されることが好ましいが、その他に上記と類似の代替素材から成形されても構わない。
【００２６】
また、シール部材３０を構成するシール部３２は、化粧品容器１の注入口２の上面３に対するシール力を高めるため、弾性復元力が良好な合成ゴム素材を用いることが好ましい。その例としては、化粧品容器の分野で広く用いられるＮＢＲ（ａｃｒｙｌｏＮｉｔｒｉｌｅ  Ｂｕｔａｄｉｅｎｅ  Ｒｕｂｂｅｒ）、エラストマー（Ｅｌａｓｔｏｍｅｒ）、シリコンゴム（Ｓｉｌｉｃｏｎｅ  Ｒｕｂｂｅｒ）などを挙げることができる。
【００２７】
前記キャップ本体２０の結合空間２４に結合されるシール部材３０は、キャップ本体に対する回転干渉を引き起こさない範囲内で圧入されることが好ましい。
【００２８】
ここで、シール部材３０の円形支持板３１の外径（Ｄ１）は、前記結合空間２４を形成するための係合突条２５の内径（Ｄ１）より数値がわずかに大きく（最大０．１ｍｍを超えない範囲）形成されるといっても、キャップ本体２０と円形支持板３１がいずれも弾性力を持つ合成樹脂素材からなり、また円形支持板３１の厚さ（ｔ）も０．１ｍｍ以下に形成されるため、前記結合空間２４にシール部材３０を強制に押し込むことにより、前記円形支持板が係合突条に越えて結合空間内に弾性的に装着されることが可能になる。
【００２９】
そして、本発明の場合、結合空間２４に圧入されるシール部材３０は係合突条２５に係止される状態で弾性的に結合されるため、一度結合された後に予期せずキャップ本体２０から外れることはないため、使用中の紛失のおそれがなくなる。
【００３０】
添付図面において図面符号４で表示された部分は、化粧品容器の注入口の外周面に形成されたネジ部を示すもので、これは、キャップ本体２０の結合の際、側壁２２の内周面に形成されたネジ部２３と互いに螺合される部分である。
【００３１】
このように構成された本発明による化粧品容器キャップ１０によれば、キャップ本体２０の結合空間２４に対して硬質の円形支持板３１及び弾性素材のシール部３２を含むシール部材３０が圧入され、前記結合空間内でシール部材は、硬質の円形支持板３１が硬質のキャップ本体２０の上壁２１の内周面と互いに接触した状態で結合されるので、たとえ圧入されるといっても摩擦接触による回転干渉を全く引き起こさなくなる。
【００３２】
したがって、化粧品容器１の注入口２をシールするために、キャップ本体２０を注入口２に位置させてから回転操作すれば、前記シール部材３０は、図５に示したように、弾性素材のシール部３２が注入口２の上面３を強制的に押圧しながらシールすることになる。さらには、キャップ本体２０の回転操作の際、シール部材３０は一緒に回転しなくなる。すなわち、シール部材３０のシール部３２が注入口の上面に密着するとともにシール部の弾性圧力によってスリップが防止される。同時に硬質の円形支持板３１と硬質素材から成形されるキャップ本体２０の上壁２１の底面の間に滑り摩擦が生じるため、キャップ本体２０のみが回転操作されるものである。
【００３３】
このような理由で、シール部材３０はキャップ本体２０の回転操作時に一緒に回転しないながらも、キャップ本体の締め付け力によって垂直方向にだけ圧力を発揮して化粧品容器１の注入口２の上面３をシールすることになる。このため、化粧品容器の注入口の上面に対するシール力を提供または解除するために、キャップ本体を注入口に対して螺合方式で開閉操作しても、注入口の上面と直接密着する弾性素材のシール部３２には回転摩擦による損傷や毀損が全く発生しなくなり、常に安定したシール作用が可能となる。
【００３４】
一方、本発明によれば、図４に示したように、前記シール部材３０のシール部３２は、前記化粧品容器１の注入口２の上面３に形成される突条５に対応し、これを取り囲む形でシールするための密着溝部３３がさらに形成される。前記密着溝部３３から延長した両側には、先端に向かって薄くなる形態のシール羽３４が一体に形成されることが好ましい。
【００３５】
前記のように、シール部３２に対して密着溝部３３をさらに形成し、同時にその両側にシール羽３４をさらに設けることで、化粧品容器１の注入口２の上面３に対するシール力を一層高めることが可能となる。
【００３６】
すなわち、図７ａ及び図７ｂに示したように、密着溝部３３が半球形状の突条５に接触すると、前記突条５の中心部が強制的に押し上げられ、このような中心部の上昇及び圧縮によって両側に配置されるシール羽３４が同時に内側に引かれながら突条の両側に同時に密着するものである。結果として、前記突条５は中心部を含めた両側がシール羽３４によって全体的に覆われる状態で密着支持されるので、単に板状のシール部でシールすることに比べ、より安定したシール力を提供することが可能となる。
【００３７】
また、図２に示したように、前記シール部材３０の円形支持板３１にインサート成形されるシール部３２の外径（Ｄ２）は、円形支持板の外径（Ｄ１）より小さく形成され、かつ結合空間２４を形成するための係合突条２５の直径（Ｄ１）と同一ないし小さく形成されることにより、シール部材３０をキャップ本体２０の結合空間２４内に結合するとき、円形支持板３１の段部３１ａが係合突条２５に係止されるよう構成することが好ましい。
【００３８】
前記のように構成することにより、図６に示したように、シール部材３０を結合空間２４に結合するとき、円形支持板３１の段部３１ａが係合突条２５に係止されるようにすることで、キャップ本体２０の回転操作の際、接触摩擦が一層減少して回転操作をスムーズに誘導することができ、かつキャップ本体の開閉操作の際、シール部３２が係合突条２５による干渉を全く受けなくなることにより、押圧動作がスムーズになるものである。
【００３９】
また、本発明によれば、図４に示したように、前記キャップ本体２０の上壁２１の内周面には、キャップ本体の開閉操作の際、シール部材３０の円形支持板３１に対する接触摩擦力を最小化するための環状突条２６がさらに形成されることが好ましい。
【００４０】
本発明によれば、図５及び図６に示したように、前記キャップ本体２０に形成される環状突条２６は、特にキャップ本体の閉鎖操作の際、シール部材３０のシール部３２が化粧品容器１の注入口２の上面３を直接押圧するように、前記注入口に対して垂直軸線Ｐ上に配設されることが好ましい。
【００４１】
このように、キャップ本体２０に環状突条２６をさらに形成し、かつ垂直軸線Ｐ上に配置することにより、化粧品容器１の注入口２の上面３に対するシール部３２の正確な押圧によってシール力を一層高めることが可能となる。
【００４２】
また、図４に示したように、シール部材３０の円形支持板３１の周縁上側角部を切除して傾斜案内面３５を形成することにより、キャップ本体２０の結合空間２４に対してシール部材を強制的に押し込むとき、前記傾斜案内面３５によって結合作用がより容易になるように構成することが好ましい。
【００４３】
以上のように、本発明による化粧品容器キャップ１０によれば、シール構造を非常に簡単に構成しながらも、キャップ本体２０の結合空間２４内に回転干渉を引き起こさないように圧入されたシール部材３０の構成によって、化粧品容器１の注入口２に対するシール力を一層高めることができるのはもちろんのこと、安定したシール力を提供するとともにシール部材３０の損傷や毀損を防止することにより、製品の信頼性を著しく高めることが可能となる。
【符号の説明】
【００４４】
１    化粧品容器
２    注入口
３    上面
５    突条
１０    化粧品容器キャップ
２０    キャップ本体
２１    上壁
２２    側壁
２４    結合空間
２５    係合突条
２６    環状突条
３０    シール部材
３１    円形支持板
３１ａ    段部
３２    シール部
３３    密着溝部
３４    シール羽
【図１】
2016508770.tif 000003
【図２】
2016508770.tif 000004
【図３】
2016508770.tif 000005
【図４】
2016508770.tif 000006
【図５】
2016508770.tif 000007
【図６】
2016508770.tif 000008
【図７Ａ】
2016508770.tif 000009
【図７Ｂ】
2016508770.tif 000010
【国際調査報告】
2016508770.tif 000011
2016508770.tif 000012